(57)【特許請求の範囲】
【請求項１】
注射器（２００）に取り付けて用いられると、薬液投与後の注射針（２０２）を格納するよう作動するようになっている、注射器保護器具（１００）であって、
前端開口（４１１）と後端開口（４１２）とを有する外筒体（４）と、
前端開口（１１１）と後端開口（１１２）とを有しており、前記外筒体（４）に挿入されており、前記注射器（２００）を挿入可能且つ固定可能である、内筒体（１）と、
前記外筒体（４）の後部の内面と前記内筒体（１）の後部の外面との間の円周空間内に、前記内筒体（１）を前記外筒体（４）に対して後方へ付勢するように前後方向圧縮状態で設けられている、スプリング（３）と、
を備えており、
前記スプリング（３）が圧縮状態から解放されると、前記注射針（２０２）が前記外筒体（４）内に格納されるように前記内筒体（１）が前記外筒体（４）に対して後方へ移動するようになっており、
更に、
前記スプリング（３）を前後方向圧縮状態で維持したまま、前記外筒体（４）に前記内筒体（１）を固定する、解除可能な事前ロック機構を、備えており、
前記事前ロック機構は、
前記内筒体（１）の前記後部に円周方向摺動可能且つ前後方向移動不能に外嵌している、前記内筒体（１）及び前記外筒体（４）とは別体のリング体（２）と、
前記外筒体（４）の前記後部に形成された貫通溝部（４２）と、
を備えており、
前記リング体（２）は、円周方向の１箇所以上に外向きの凸部（２２）を有しており、
前記凸部（２２）は、前記貫通溝部（４２）の係合部（４２３）に係合しており、
前記貫通溝部（４２）は、後端縁に開いた前後方向の直線部（４２１）と、前記直線部（４２１）の前端から斜め後方へ延びた傾斜部（４２２）と、前記傾斜部（４２２）の後端から後方へ直線状に延びた前記係合部（４２３）と、からなっており、
前記事前ロック機構は、前記スプリング（３）を更に圧縮するように前記内筒体（１）が押された場合に、前記リング体（２）が前記内筒体（１）及び前記外筒体（４）に対して円周方向に回転することにより、前記凸部（２２）が前記係合部（４２３）から出て前記傾斜部（４２２）を経て前記直線部（４２１）に入ることによって、解除されるようになっており、
前記内筒体（１）は、前記事前ロック機構が解除されると、前記注射針（２０２）が前記外筒体（４）内に格納される距離だけ、前記スプリング（３）によって前記外筒体（４）に対して後方へ移動するようになっている、
ことを特徴とする注射器保護器具。
【請求項２】
後方に移動した前記内筒体（１）を前記外筒体（４）に固定する、事後ロック機構を、更に備えており、
前記事後ロック機構は、
前記外筒体（４）の中央部から前部に渡って前後方向に延びて形成された、少なくとも１つのスライド溝部（４５）と、
前記内筒体（１）の前部の周壁に形成された、少なくとも１つの舌部（１２）と、
を備えており、
前記舌部（１２）は、前後方向に延びており、後端を基端として内外方向に弾性変形可能であり、前端部に外向きの凸部（１２２）を有しており、
前記スライド溝部（４５）は、後方に移動する前の前記内筒体（１）が前記外筒体（４）に固定されている状態においては、前記舌部（１２）の前記凸部（１２２）が前記スライド溝部（４５）の内部に位置するように、形成されており、前記内筒体（１）が後方へ移動した状態においては、前記舌部（１２）の前記凸部（１２２）が前記スライド溝部（４５）の後端の係合部（４５２）に移動不能に係合するように、形成されている、
請求項１記載の注射器保護器具。
【請求項３】
前記事後ロック機構の前記スライド溝部（４５）の前記係合部（４５２）は、前記舌部（１２）の前記凸部（１２２）の後方への移動は許容するが前方への移動は阻止する、逆止片（４５２１）を、備えている、
請求項２記載の注射器保護器具。
【請求項４】
前後方向圧縮状態の前記スプリング（３）は、前記注射器（２００）のシリンジ本体（２０４）に対するプランジャーロッド（２０３）の摺動抵抗に比して大きく、且つ、前記注射器（２００）を前記内筒体（１）に固定する際の押付力に比して大きく、且つ、前記注射針（２０２）が前記外筒体（４）内に格納される位置まで、前記内筒体（１）を移動させることができる、付勢力を、有するように設定されている、
請求項１〜３のいずれか一つに記載の注射器保護器具。
【請求項５】
前記事前ロック機構の前記リング体（２）の前記凸部（２２）が、円周方向において対向した２箇所に形成されており、
前記事前ロック機構の前記貫通溝部（４２）が、前記外筒体（４）の前記後部の円周方向において対向した２箇所に形成されている、
請求項１〜４のいずれか一つに記載の注射器保護器具。
【請求項６】
前記事後ロック機構の前記スライド溝部（４５）が、前記外筒体（４）の周方向において対向した２箇所に形成されており、
前記事後ロック機構の前記舌部（１２）が、前記内筒体（１）の周方向において対向した２箇所に形成されている、
請求項２又は請求項２に従属する請求項３〜５のいずれか一つに記載の注射器保護器具。
【請求項７】
前記外筒体（４）の前記後部は、前記円周空間において前記スプリング（３）の前部を内側から支持する支持部（４４）を、有している、
請求項１〜６のいずれか一つに記載の注射器保護器具。
【請求項８】
前記外筒体（４）及び前記内筒体（１）が、透明樹脂でできている、
請求項１〜７のいずれか一つに記載の注射器保護器具。
【請求項９】
前記外筒体（４）及び前記内筒体（１）の、本体（４１、１１）が、断面円形又は断面四角形を、有している、
請求項１〜８のいずれか一つに記載の注射器保護器具。
【請求項１０】
前記リング体（２）の外周面と前記外筒体（４）の前記後部の内面との間に、隙間が設けられている、
請求項１〜９のいずれか一つに記載の注射器保護器具。
【請求項１１】
注射針（２０２）と、薬液を貯留したシリンジ本体（２０４）と、薬液を押し出すプランジャーロッド（２０３）と、を備えた注射器（２００）に、請求項１〜１０のいずれか一つに記載の注射器保護器具（１００）が、取り付けられている、
ことを特徴とする安全注射器。
【発明の詳細な説明】
【技術分野】
【０００１】
本発明は、プレフィルドシリンジを針刺し事故が起こらないように安全に保管・使用・廃棄等するための注射器保護器具に関するものであり、特に、薬液投与後に注射針を自己格納することができる注射器保護器具に関するものである。
【背景技術】
【０００２】
プレフィルドシリンジに関しては、針刺し事故を無くすための保護器具が従来から種々提案されてきている。特に、プレフィルドシリンジが血液媒介感染症の治療薬用である場合には、薬液投与後の針刺し事故は重大事故となるので、そのような保護器具は必須であると言える。
【先行技術文献】
【特許文献】
【０００３】
【特許文献１】特表２００５−５１９６４７号公報
【特許文献２】特表２０１５−５１４５１８号公報
【特許文献３】ＵＳ２０１４／０１０７５７７
【特許文献４】ＵＳ５，２０１，７０８
【特許文献５】ＵＳ５，３１８，５３８
【特許文献６】ＵＳ２００２／０００４６４９
【発明の概要】
【発明が解決しようとする課題】
【０００４】
しかしながら、従来の保護器具においては、次のような不具合がある。
（１）使用前の作動を避けるためにロック機構が設けられる場合があるが、当該ロック機構が不確実なものである。それ故、保護器具の輸送時又は保管時、又はプレフィルドシリンジの保護器具へのセット時、又はプレフィルドシリンジを保護器具へセットした後の輸送時又は保管時又は投与時に、すなわち、作動を意図していない時に、作動する恐れがある。すなわち、誤作動する恐れがある。
（２）使用後に格納されている注射針が露出するのを避けるために、ロック機構が設けられる場合があるが、当該ロック機構が不確実なものである。それ故、廃棄等の時に注射針が露出して針刺し事故が起こる恐れがある。
（３）構造が複雑である。
（４）部品点数が多い。
（５）組立が面倒である。
（６）薬液の投与状況を視認するのが困難である。
【０００５】
本発明の主たる目的は、簡素な構成によって、より確実に誤作動を防止できる、注射器保護器具を、提供することである。
【課題を解決するための手段】
【０００６】
本発明は、注射器に取り付けて用いられると、薬液投与後の注射針を格納するよう作動するようになっている、注射器保護器具であって、
前端開口と後端開口とを有する外筒体と、
前端開口と後端開口とを有しており、前記外筒体に挿入されており、前記注射器を挿入可能且つ固定可能である、内筒体と、
前記外筒体の後部の内面と前記内筒体の後部の外面との間の円周空間内に、前記内筒体を前記外筒体に対して後方へ付勢するように前後方向圧縮状態で設けられている、スプリングと、
を備えており、
前記スプリングが圧縮状態から解放されると、前記注射針が前記外筒体内に格納されるように前記内筒体が前記外筒体に対して後方へ移動するようになっており、
更に、
前記スプリングを前後方向圧縮状態で維持したまま、前記外筒体に前記内筒体を固定する、解除可能な事前ロック機構を、備えており、
前記事前ロック機構は、
前記内筒体の前記後部に円周方向摺動可能且つ前後方向移動不能に外嵌している、前記内筒体及び前記外筒体とは別体のリング体と、
前記外筒体の前記後部に形成された貫通溝部と、
を備えており、
前記リング体は、円周方向の１箇所以上に外向きの凸部を有しており、
前記凸部は、前記貫通溝部の係合部に係合しており、
前記貫通溝部は、後端縁に開いた前後方向の直線部と、前記直線部の前端から斜め後方へ延びた傾斜部と、前記傾斜部の後端から後方へ直線状に延びた前記係合部と、からなっており、
前記事前ロック機構は、前記スプリングを更に圧縮するように前記内筒体が押された場合に、前記リング体が前記内筒体及び前記外筒体に対して円周方向に回転することにより、前記凸部が前記係合部から出て前記傾斜部を経て前記直線部に入ることによって、解除されるようになっており、
前記内筒体は、前記事前ロック機構が解除されると、前記注射針が前記外筒体内に格納される距離だけ、前記スプリングによって前記外筒体に対して後方へ移動するようになっている、
ことを特徴としている。
【発明の効果】
【０００７】
本発明の注射器保護器具によれば、注射器使用後に注射針を外筒体内に格納できるので、針刺し事故を防止でき、しかも、次のような効果を発揮できる。
（ａ）事前ロック機構によって、リング体の凸部を貫通溝部の係合部に強固に保持できるので、使用前の内筒体を外筒体に強固に固定でき、その結果、誤作動を防止できる。
（ｂ）更に、事後ロック機構を備えていれば、舌部の凸部をスライド溝部の係合部に強固に保持できるので、作動後の内筒体を外筒体に強固に固定でき、したがって、作動後の保管・廃棄等の際に注射針が露出するのを防止でき、その結果、針刺し事故を防止できる。
【図面の簡単な説明】
【０００８】
【図１】本実施形態の注射器保護器具を注射器に取り付ける直前の様子を示す斜視図である。
【図２】保護器具が注射器に取り付けられた状態を示す斜視図である。
【図３】図２の状態の側面断面図である。
【図４】図２の状態の平面図である。
【図５】注射器のプランジャーロッドが押されて薬液投与が終了した後、更にプランジャーロッドが押された状態を示す平面図である。
【図６】保護器具が作動して注射針が保護器具に格納された状態を示す平面図である。
【図７】保護器具の全体の前方斜視図である。
【図８】保護器具の側面断面図である。
【図９】保護器具の分解斜視図である。
【図１０】内筒体の前方斜視図である。
【図１１】内筒体の後方斜視図である。
【図１２】内筒体の平面図である。
【図１３】内筒体の側面断面図である。
【図１４】リング体の前方斜視図である。
【図１５】リング体の後方斜視図である。
【図１６】リング体の平面図である。
【図１７】リング体の側面図である。
【図１８】リング体の側面断面図である。
【図１９】スプリングの無負荷状態を示す斜視図である。
【図２０】スプリングの圧縮状態を示す斜視図である。
【図２１】外筒体の前方斜視図である。
【図２２】外筒体の平面図である。
【図２３】外筒体の後部の斜視図である。
【図２４】外筒体の側面断面図である。
【図２５】内筒体をリング体に挿入した状態を示す側面図である。
【図２６】リング体をリング体取付部に圧入する状態を示す側面断面図である。
【図２７】リング体がリング体取付部に取り付けられた状態を示す斜視図である。
【図２８】リング体が取り付けられた内筒体を無負荷状態のスプリングに挿入した状態を示す斜視図である。
【図２９】図２８の状態の内筒体を外筒体に挿入する状態を示す側面断面図である。
【図３０】図２９の状態を示す平面図である。
【図３１】図３０の状態から、内筒体を外筒体に更に押し込んだ状態を示す平面図である。
【図３２】凸部を貫通溝部の係合部に位置させた状態を示す平面図である。
【図３３】注射器を保護器具に固定した状態を示す斜視図である。
【図３４】図３３の状態の側面断面図である。
【図３５】鍔取付部の爪部を示す拡大側面断面図である。
【図３６】スライド溝部の係合空間に舌部の凸部が係合する状態を示す拡大平面図である。
【図３７】外筒体及び内筒体が断面四角形である注射器保護器具を示す斜視図である。
【図３８】図３７の注射器保護器具を後方から見た図である。
【発明を実施するための形態】
【０００９】
本発明の一実施形態の注射器保護器具を、図を参照しながら、以下に説明する。
【００１０】
［構成］
図１は、本実施形態の注射器保護器具を注射器に取り付ける直前の様子を示す斜視図である。図１では、注射器保護器具１００と注射器２００とが一直線上に並んでいる。注射器２００は、プレフィルドシリンジであり、先端の注射針２０２（図３参照）は、キャップ２０１で覆われている。図２は、保護器具１００が注射器２００に取り付けられた状態を示す斜視図である。図３は、図２の状態の側面断面図である。注射器２００は、保護器具１００に挿入されて固定されている。図４は、図２の状態の平面図である。なお、図４では、キャップ２０１が外されている。図５は、注射器２００のプランジャーロッド２０３が押されて薬液投与が終了した後、更にプランジャーロッド２０３が押された状態を示す平面図である。図６は、保護器具１００が作動して注射針２０２が保護器具１００に格納された状態を示す平面図である。このように、保護器具１００は、注射器２００に取り付けて用いられると、薬液投与後の注射針２０２を格納するよう作動するようになっている。
【００１１】
図７は、保護器具１００の全体の前方斜視図である。図８は、保護器具１００の側面断面図である。図９は、保護器具１００の分解斜視図である。保護器具１００は、内筒体１とリング体２とスプリング３と外筒体４とからなっている。内筒体１は、挿入された注射器２００を保持する部材である。リング体２は、外筒体４に挿入された内筒体１を外筒体４に固定するための事前ロック機構を、構成する部材である。事前ロック機構は、保護器具１００が、使用前の意図しない時に作動する（すなわち誤作動する）のを、防止するための機構である。スプリング３は、保護器具１００が作動する時に、すなわち事前ロック機構が解除された時に、内筒体１を外筒体４に対して後方へ移動させるよう作動する部材である。外筒体４は、内筒体１と共に後方へ移動した注射器２００の注射針２０２を、内部空間内に格納する部材である。内筒体１及び外筒体４は、透明樹脂でできているのが、好ましい。それによれば、保護器具１００に挿入された注射器２００の薬液の様子を、良好に視認できる。透明樹脂としては、例えば、ポリカーボネート樹脂、シクロオレフィン樹脂、ポリプロピレン樹脂等を、使用できる。
【００１２】
図１０は、内筒体１の前方斜視図である。図１１は、内筒体１の後方斜視図である。図１２は、内筒体１の平面図である。図１３は、内筒体１の側面断面図である。内筒体１は、円筒状の本体１１と、舌部１２と、リング体取付部１３と、鍔取付部１４と、を備えている。内筒体１の後部は、大径部１１０となっており、リング体取付部１３及び鍔取付部１４は、大径部１１０に設けられている。
【００１３】
本体１１は、前端開口１１１と後端開口１１２とを有しており、注射器２００が挿入される内部空間１１３を有している。舌部１２は、本体１１の前部に形成されており、後方へ移動した内筒体１を外筒体４に固定するための事後ロック機構を、構成する要素である。事後ロック機構は、作動後の保護器具１００に格納されている注射針２０２が露出するのを、防止するための機構である。舌部１２は、本体１１の円周方向の対向する位置に２個形成されている。舌部１２は、後端を基端として内外方向に弾性変形可能な舌片１２１と、舌片１２１の前端部の外向きの凸部１２２と、からなっている。舌片１２１は、本体１１の周壁の一部を切り欠いて形成されている。凸部１２２は、平面視台形を有している。リング体取付部１３は、前壁部１３１と、後壁部１３２と、その間の円周溝部１３３と、からなっている。鍔取付部１４は、注射器２００のシリンジ本体２０４の鍔２０５を内筒体１に固定するための、後方に突出した爪部１４１を、有している。
【００１４】
図１４は、リング体２の前方斜視図である。図１５は、リング体２の後方斜視図である。図１６は、リング体２の平面図である。図１７は、リング体２の側面図である。図１８は、リング体２の側面断面図である。リング体２は、円筒状の本体２１と、本体２１の外周面に外向きに設けられた凸部２２と、本体２１の内周面に内向きに設けられた円周凸部２３と、本体２１の後縁に設けられた切欠き部２４と、を備えている。凸部２２は、本体２１の円周方向の対向する位置に２個設けられている。凸部２２は、平面視略円形を有している。切欠き部２４は、円周方向等間隔の４箇所に形成されている。
【００１５】
図１９は、スプリング３の無負荷状態を示す斜視図である。図２０は、スプリング３の圧縮状態を示す斜視図である。スプリング３は、内筒体１の大径部１１０の周面１１５に外嵌する内径を、有している。
【００１６】
図２１は、外筒体４の前方斜視図である。図２２は、外筒体４の平面図である。図２３は、外筒体４の後部の斜視図である。図２４は、外筒体４の側面断面図である。外筒体４は、円筒状の本体４１と、貫通溝部４２と、鍔部４３と、スプリング支持部４４と、スライド溝部４５と、を備えている。外筒体４は、後部が大径部４１０となっており、貫通溝部４２と鍔部４３とスプリング支持部４４とは、大径部４１０に設けられている。
【００１７】
本体４１は、前端開口４１１と後端開口４１２とを有しており、内筒体１が挿入される内部空間４１３を有している。内筒体１の大径部１１０は、外筒体４の大径部４１０に挿入される。貫通溝部４２は、リング体２と共に事前ロック機構を構成する要素である。貫通溝部４２は、後端縁に開いた前後方向の直線部４２１と、直線部４２１の前端から斜め後方へ延びた傾斜部４２２と、傾斜部４２２の後端から後方へ直線状に延びた係合部４２３と、からなっている。貫通溝部４２は、外筒体４の後部の円周方向において対向した２箇所に、形成されている。鍔部４３は、本体４１に対して直角に且つ対向する方向に延びた２個の片部４３１を、備えている。スプリング支持部４４は、大径部４１０内においてスプリング３を内側から支持するように形成された円周壁からなっている。このスプリング支持部４４によって、大径部４１０内には、スプリング３の前部を収容する空間４１０１が構成されている。
【００１８】
スライド溝部４５は、内筒体１の舌部１２と共に事後ロック機構を構成する要素である。スライド溝部４５は、本体４１の中央部から前部に渡って前後方向に延びて形成されており、本体４１の円周方向において対向する位置に２個形成されている。スライド溝部４５は、溝本体４５１と、溝本体４５１の後端部に形成された係合部４５２と、からなっている。スライド溝部４５は、後方に移動する前の内筒体１が外筒体４に固定されている状態においては、すなわち保護器具１００の作動前においては、舌部１２の凸部１２２が溝本体４５１内に位置するように（図７参照）、形成されており、内筒体１が後方へ移動した状態においては、すなわち保護器具１００の作動後においては、舌部１２の凸部１２２が係合部４５２に移動不能に係合するように、形成されている。係合部４５２は、両側から後方に向けて斜めに延びた２個の逆止片４５２１と、係合空間４５２２と、を有している。逆止片４５２１は、弾性を有しており、舌部１２の凸部１２２が前から後へ通過することは許容するが、その逆は許容しないように、形成されている。したがって、係合部４５２は、逆止片４５２１を通過した凸部１２２を係合空間４５２２内に移動不能に保持するようになっている。
【００１９】
［組立作業］
次に、保護器具１００の組立作業について説明する。
【００２０】
まず、図２５に示されるように、リング体２に内筒体１を挿入する。次に、図２６に示されるように、リング体２をリング体取付部１３に圧入する。図２７は、リング体２がリング体取付部１３に取り付けられた状態を示す斜視図である。
【００２１】
リング体取付部１３の前壁部１３１は前部にテーパ面１３１１（図２６参照）を有しており、リング体２の円周凸部２３は後部にテーパ面２３１（図２６参照）を有しているので、円周凸部２３は前壁部１３１を円滑に乗り越えることができる。したがって、圧入作業は、円滑に行うことができる。また、圧入後の円周凸部２３と円周溝部１３３との間には、前後方向の隙間及び内外方向の隙間が存在しており、且つ、円周凸部２３は前壁部１３１と後壁部１３２とで挟まれているので、リング体２は、リング体取付部１３に対して、円周方向摺動可能且つ前後方向移動不能に、外嵌しており、しかも、リング体取付部１３から容易に脱落しない。これにより、リング体２はリング体取付部１３に安定的に取り付けられている。
【００２２】
次に、図２８に示されるように、リング体２が取り付けられた内筒体１を、無負荷状態のスプリング３に挿入する。このとき、スプリング３の後端部は、大径部１１０の周面１１５上に位置させる。
【００２３】
次に、図２９に示されるように、図２８の状態の内筒体１を外筒体４に挿入する。図３０は、図２９の状態を示す平面図である。このとき、スプリング３の前部は、空間４１０１内に位置させる。したがって、スプリング３は安定する。凸部１２２の前部には、外向きで後方に向けたテーパ面１２２１（図１３参照）が形成されているので、内筒体１を外筒体４に挿入する際に、凸部１２２が外筒体４の内面を円滑に滑ってスライド溝部４５へ至る。したがって、内筒体１の挿入作業は、円滑に行うことができる。
【００２４】
次に、図３１に示されるように、図３０の状態から、内筒体１を外筒体４に更に押し込んでいき、リング体２の凸部２２を貫通溝部４２の直線部４２１に挿入する。これにより、スプリング３は、大径部４１０内の空間４１０１に位置した状態で圧縮されていく。このとき、スプリング３の前部は空間４１０１内に位置しているので、スプリング３は安定的に圧縮されていく。
【００２５】
次に、図３２に示されるように、リング体２を矢印Ｒ方向へ少し回転させて、凸部２２を、傾斜部４２２を通して係合部４２３に位置させる。このとき、リング体２の回転作業は、本体２１の後縁の切欠き部２４（図１５参照）に指又は治具を引っ掛けて行うことができるので、容易に行うことができる。また、内筒体１すなわちリング体２は、圧縮されたスプリング３によって後方へ付勢されているので、凸部２２は、リング体２を矢印Ｒ方向へ少し回転させるだけで、容易に、傾斜部４２２を通って係合部４２３へ移動する。
【００２６】
更に、係合部４２３は、傾斜部４２２の後端から後方へ直線状に延びているので、凸部２２は、円周方向への移動不能な状態で、且つ、後方へ付勢された状態で、係合部４２３内に位置している。したがって、凸部２２は、係合部４２３から容易には抜け出せないようになっており、その結果、誤作動が起こりにくくなっている。すなわち、リング体２と貫通溝部４２とによって構成された事前ロック機構によれば、凸部２２を係合部４２３に強固に保持できるので、使用前の内筒体１を外筒体４に強固に固定でき、その結果、誤作動を防止できる。
【００２７】
以上のようにして、保護器具１００が組み立てられる。
【００２８】
［取付作業］
次に、注射器２００への保護器具１００の取付作業について、説明する。
【００２９】
図３３に示されるように、注射器２００を保護器具１００の内筒体１に挿入し、鍔２０５を鍔取付部１４に取り付ける。図３４は、図３３の状態の側面断面図である。
【００３０】
鍔取付部１４の爪部１４１は、図３５に示されるように、後方に延びた壁部１４１１と、壁部１４１１から内向きに延びた凸部１４１２と、からなっている。凸部１４１２の前面１４１５と内筒体１の後端面１６との間には、鍔２０５を収容する空間１４０が確保されている。鍔２０５は、凸部１４１２を後方から乗り越えて空間１４０内に入り、空間１４０内で爪部１４１によって把持される。鍔２０５は、後方視において略四角形を有しており、上辺２０５１及び下辺２０５２は、円弧状を呈しており、両側片２０５３、２０５４は、直線状を呈している。すなわち、鍔２０５は、いわゆる「切鍔」である。爪部１４１の壁部１４１１は、鍔２０５に四方から沿うように形成されている。すなわち、上下の爪部１４１の壁部１４１１は、円弧状を呈しており、両側の爪部１４１の壁部１４１１は、直線状を呈している。これにより、鍔２０５は、空間１４０内で回動することはない。しかも、鍔２０５は、凸部１４１２と内筒体１の後端面１６とによって挟まれている。したがって、鍔２０５は、鍔取付部１４に強固に固定できる。
【００３１】
また、図３５に示されるように、凸部１４１２の先端部には、後方に向けて且つ外に向けて、テーパ面１４１３が形成されており、しかも、テーパ面１４１３の前縁１４１４はＲ加工されている。これにより、鍔２０５が凸部１４１２を後方から乗り越える作業は、円滑に行うことができる。
【００３２】
また、内筒体１の大径部１１０の内面は、後方へ向いて少し開いたテーパ面１１０１となっているので、注射器２００を内筒体１内に円滑に案内できる。
【００３３】
更に、内筒体１は、挿入された注射器２００のシリンジ本体２０４に対して、隙間Ｓ２（図３４参照）が生じるような、内径を、有している。隙間Ｓ２の寸法は、小さすぎると、シリンジ本体２０４の挿入が困難となり、大きすぎると、シリンジ本体２０４が内筒体１内でがたついたり、事後ロック機構が解除されやすくなったりする。したがって、隙間Ｓ２は、そのような不具合を防止できる寸法に設定されている。
【００３４】
以上のようにして、保護器具１００が注射器２００に取り付けられる。
【００３５】
［注射器の使用］
保護器具１００が取り付けられた注射器２００は、図２の状態を呈している。この状態において、操作者は、少し大型の注射器を取り扱うように、２本の指を鍔部４３の片部４３１に前方から当てて、注射器２００を把持する。次に、キャップ２０１を外して、注射針２０２を露出させる。そして、注射針２０２を注射部位に刺す。
【００３６】
片部４３１は、指を押し当てるのに十分な大きさを有している。したがって、操作者は、保護器具１００付きの注射器２００を安定的に操作できる。
【００３７】
また、外筒体４の前端部は、前方に向けて小径となるように、テーパ面４６（図２１参照）を有している。したがって、注射針２０２を刺す際の注射器２００の方向付けを行う時に、外筒体４の前端部が邪魔になることはなく、注射角度を大きく取ることができる。
【００３８】
［作動］
次に、保護器具１００の作動について、説明する。
【００３９】
プランジャーロッド２０３を押して注射器２００による薬液投与が終了した状態から、プランジャーロッド２０３を内筒体１と共に更に前方へ押すと、貫通溝部４２の係合部４２３に位置している凸部２２が、図５に示されるように、係合部４２３から前方へ抜け出し、傾斜部４２２に沿って更に前方へ移動し、直線部４２１の前端に到達する。
【００４０】
凸部２２は、図１６に示されるように、平面視において傾斜部４２２に沿うようなテーパ面２２１を有しているので、傾斜部４２２を円滑に移動する。しかも、リング体２の外周面と外筒体４の大径部４１０の内面との間には、隙間Ｓ１（図３４参照）が設けられているので、リング体２は円滑に回転する。したがって、凸部２２は、円滑に移動する。
【００４１】
そして、凸部２２が直線部４２１の前端に到達すると、凸部２２は直線部４２１を通って後方へ移動することが可能となる。すなわち、事前ロック機構が解除されたこととなる。これにより、図６に示されるように、スプリング３が圧縮状態から解放され、内筒体１がスプリング３によって後方へ押されて移動する。内筒体１は注射器２００を保持しているので、注射器２００も外筒体４に対して後方に移動する。
【００４２】
なお、凸部２２の突出高さＨ２（図１８参照）は、小さすぎると、係合部４２３内に維持されにくくなり、大きすぎると、邪魔になるので、そのような不具合の無い寸法に設定されている。
【００４３】
内筒体１が後方に移動する時、舌部１２の凸部１２２はスライド溝部４５の溝本体４５１に沿って後方へ移動する。すなわち、内筒体１の移動は、凸部１２２によってガイドされる。したがって、内筒体１は、安定的に移動する。また、内筒体１は、大径部４１０の支持部４４によって外側から支持されているので、安定的に移動する。
【００４４】
後方に移動した舌部１２の凸部１２２が、スライド溝部４５の係合部４５２に係合すると、内筒体１の移動は、停止する。スライド溝部４５の前後方向の距離は、注射針２０２の先端が外筒体４内に収まるまで内筒体１が移動する距離に、設定されている。したがって、凸部１２２が係合部４５２に係合すると、注射針２０２は外筒体４の内部空間４１３内に格納される。
【００４５】
スライド溝部４５の係合部４５２に係合した凸部１２２は、前後方向移動不能であるので、後方に移動した内筒体１は、外筒体４に対して固定される。すなわち、舌部１２とスライド溝部４５とによって構成された事後ロック機構によれば、舌部１２の凸部１２２をスライド溝部４５の係合部４５２に強固に保持できるので、作動後の内筒体１を外筒体４に強固に固定でき、したがって、注射針２０２の格納状態を強固に維持でき、保護器具１００の作動後の保管・廃棄等の際に注射針２０２が露出するのを防止でき、その結果、針刺し事故を防止できる。
【００４６】
更に、図３６に示されるように、係合空間４５２２は、平面視において、後方に向けて幅狭になっている台形状を呈しており、凸部１２２は、平面視において、係合空間４５２２に嵌合する台形状を呈しているので、凸部１２２は、係合空間４５２２に嵌合する。しかも、２個の逆止片４５２１の先端間の距離Ｗ１は、凸部１２２の前部の幅Ｗ２より小さい。したがって、凸部１２２は、係合空間４５２２内で、強固に移動不能である。したがって、事後ロック機構は、強固に作用する。
【００４７】
なお、凸部１２２の突出高さＨ１（図１３参照）は、小さすぎると、係合部４５２内に維持されにくくなり、大きすぎると、内筒体１を外筒体４に挿入する際に邪魔になるので、そのような不具合の無い寸法に設定されている。
【００４８】
また、スプリング３の付勢力は、次のように設定されている。
（ａ）鍔取付部１４に鍔２０５を取り付ける際には、鍔２０５が凸部１４１２を乗り越えるために、内筒体１に前方への押付力が加わる。その場合、事前ロック機構が解除される恐れがある。しかしながら、スプリング３の付勢力は、その押付力に比して大きく設定されているので、事前ロック機構が解除されることはない。すなわち、誤作動は生じない。具体的には、スプリング３の付勢力は、当該押付力より、５０〜４００％好ましくは１００〜３００％大きく、設定されている。
（ｂ）薬液投与のためにプランジャーロッド２０３を押す際には、シリンジ本体２０４に対するプランジャーロッド２０３の摺動抵抗が生じる。その場合、内筒体１に前方への押付力が加わり、事前ロック機構が解除される恐れがある。しかしながら、スプリング３の付勢力は、その摺動抵抗に比して大きく設定されているので、事前ロック機構が解除されることはない。すなわち、誤作動は生じない。具体的には、スプリング３の付勢力は、当該摺動抵抗より、１００〜６００％好ましくは１００〜３００％大きく、設定されている。
（ｃ）スプリング３が圧縮状態から解放されても凸部１２２が係合部４５２に至らない場合は、注射針２０２の格納が不完全になり、また、後方に移動した内筒体１が外筒体４に固定されない。すなわち、保護器具１００の保護機能を発揮できない。しかしながら、スプリング３の付勢力は、注射針２０２が外筒体４内に格納される位置まで、すなわち、凸部１２２が係合部４５２に係合する位置まで、内筒体１を移動させることができるように設定されている。したがって、保護器具１００は保護機能を十分に発揮できる。
【００４９】
［変形例］
各要素については、次のような変形例を採用できる。
（１）舌部１２は、２個に限らず、１個又は３個以上設けられてもよい。
（２）舌部１２は、円周方向において対向していない位置に２個以上設けられてもよい。
（３）舌部１２の凸部１２２は、平面視において、楕円形、半円形、三角形、角形等でもよい。
（４）リング体２の凸部２２は、２個に限らず、１個又は３個以上設けられてもよい。
【００５０】
（５）リング体２の凸部２２は、円周方向において対向していない位置に２個以上設けられてもよい。
（６）リング体２の凸部２２は、平面視において、楕円形、角形等でもよい。
（７）リング体２の凸部２２は、着色されていてもよい。これによれば、事前ロック機構の視認性を向上できる。
（８）図３７に示されるように、内筒体１及び外筒体４は、断面四角形の筒体でもよい。これによれば、外筒体４表面へのラベル貼り等を容易に行うことができる。図３８は、図３７の保護器具１００を後方から見た図である。
【００５１】
（９）貫通溝部４２の数及び円周方向の位置は、凸部２２の数及び円周方向の位置に対応していればよい。
（10）スライド溝部４５の数及び周方向の位置は、舌部１２の数及び周方向の位置に対応していればよい。
（11）スプリング支持部４４は、円周に連続していなくてもよく、例えば、円周方向に適当間隔置きに設けられた複数の棒体等でもよい。
（12）注射器２００の鍔２０５は、後方視において円形（いわゆる「丸鍔」）を有してもよい。
【００５２】
［具体的寸法等］
容量１ｍｌの注射器２００に用いられる保護器具１００において、各部の具体的寸法等は、例えば、下記に示すとおりである。
・舌片１２１の前後方向長さＬ１（図１２参照）：３〜１２ｍｍ
・凸部１２２の突出高さＨ１（図１３参照）：０．５〜２．５ｍｍ
・凸部２２の突出高さＨ２（図１８参照）：０．５〜３ｍｍ
・隙間Ｓ２（図３４参照）：０．１〜０．６ｍｍ
・凸部１４１２の突出寸法Ｈ３（図３５参照）：０．２〜０．７ｍｍ
【産業上の利用可能性】
【００５３】
本発明の注射器保護器具は、誤作動を防止して、注射器を安全に且つ有効に使用できるので、産業上の利用価値が大である。
【符号の説明】
【００５４】
１  内筒体  １２  舌部  １２２  凸部  ２  リング体  ２２  凸部  ３  スプリング
４  外筒体  ４２  貫通溝部  ４２１  直線部  ４２２  傾斜部  ４２３  係合部
４４  支持部  ４５  スライド溝部  ４５２  係合部  ４５２１  逆止片
１００  注射器保護器具  ２００  注射器  ２０２  注射針
２０３  プランジャーロッド  ２０４  シリンジ本体
【要約】
【課題】簡素な構成によって、より確実に誤作動を防止できる、注射器保護器具を、提供することである。
【解決手段】外筒体４と内筒体１とスプリング３とを備えており、スプリング３が圧縮状態から解放されると、注射針２０２が外筒体４内に格納されるように内筒体１が外筒体４に対して後方へ移動するようになっており、スプリング３を前後方向圧縮状態で維持したまま、外筒体４に内筒体１を固定する、解除可能な事前ロック機構と、後方に移動した内筒体１を外筒体４に固定する、事後ロック機構とを、備えており、事前ロック機構は、リング体２の凸部２２を貫通溝部４２の係合部に係合させることにより、移動前の内筒体１を外筒体４に固定するようになっており、事後ロック機構は、舌部の凸部１２２をスライド溝部４５の係合部に係合させることにより、移動後の内筒体１を外筒体４に固定するようになっている。
【選択図】図６【図１】
0006009645.tif 000002
【図２】
0006009645.tif 000003
【図３】
0006009645.tif 000004
【図４】
0006009645.tif 000005
【図５】
0006009645.tif 000006
【図６】
0006009645.tif 000007
【図７】
0006009645.tif 000008
【図８】
0006009645.tif 000009
【図９】
0006009645.tif 000010
【図１０】
0006009645.tif 000011
【図１１】
0006009645.tif 000012
【図１２】
0006009645.tif 000013
【図１３】
0006009645.tif 000014
【図１４】
0006009645.tif 000015
【図１５】
0006009645.tif 000016
【図１６】
0006009645.tif 000017
【図１７】
0006009645.tif 000018
【図１８】
0006009645.tif 000019
【図１９】
0006009645.tif 000020
【図２０】
0006009645.tif 000021
【図２１】
0006009645.tif 000022
【図２２】
0006009645.tif 000023
【図２３】
0006009645.tif 000024
【図２４】
0006009645.tif 000025
【図２５】
0006009645.tif 000026
【図２６】
0006009645.tif 000027
【図２７】
0006009645.tif 000028
【図２８】
0006009645.tif 000029
【図２９】
0006009645.tif 000030
【図３０】
0006009645.tif 000031
【図３１】
0006009645.tif 000032
【図３２】
0006009645.tif 000033
【図３３】
0006009645.tif 000034
【図３４】
0006009645.tif 000035
【図３５】
0006009645.tif 000036
【図３６】
0006009645.tif 000037
【図３７】
0006009645.tif 000038
【図３８】
0006009645.tif 000039